(57)【要約】【課題】  連続帳票の伸びの変化に応じて、所定の位置に所定の印字を施すことができる帳票の印字方法を提供する。【解決手段】  単位帳票１１が複数連続され、各単位帳票１１に所定の印刷が施されてなる連続帳票１０の長手方向における伸び率を算出する工程Ａと、連続帳票１０を搬送しながら、単位帳票１１の基端に設けられた管理情報１２を読み取る工程Ｂと、工程Ｂにより読み取られた管理情報１２の位置を基準とし、かつ、連続帳票１０の伸び率に基づいて各単位帳票１１に印字を施す位置を判断する工程Ｃと、工程Ｃにおける結果に基づいて各単位帳票１１に所定の印字を施す工程Ｄと、を少なくとも備えた帳票の印字方法を提供する。【選択図】        図１
2006082508.tif 000002
【特許請求の範囲】
【請求項１】
単位帳票が複数連続され、該単位帳票毎に所定の印刷が施されてなる連続帳票の長手方向における伸び率を算出する工程Ａと、前記連続帳票を搬送しながら、前記単位帳票の基端に設けられた管理情報を読み取る工程Ｂと、該工程Ｂにより読み取られた管理情報の位置を基準とし、かつ、前記伸び率に基づいて前記単位帳票毎に印字を施す位置を判断する工程Ｃと、該工程Ｃにおける結果に基づいて前記単位帳票毎に所定の印字を施す工程Ｄと、を少なくとも備えたことを特徴とする帳票の印字方法。
【請求項２】
単位帳票が複数連続され、該単位帳票毎に所定の印刷が施されてなる連続帳票を搬送する搬送手段と、前記単位帳票毎に施された印刷に関する情報に基づいて算出した前記連続帳票の長手方向における伸び率を入力する入力手段と、前記単位帳票の基端に設けられた管理情報を読み取る読取手段と、該読取手段により読み取られた管理情報の位置を基準とし、前記伸び率に基づいて前記単位帳票毎に印字を施す位置を判断する判断手段と、該判断手段による結果に基づいて前記単位帳票毎に所定の印字を施す印字手段と、を少なくとも備えたことを特徴とする帳票の印字装置。
【請求項３】
前記入力手段は、パーソナルコンピュータまたは画像認識装置であることを特徴とする請求項２に記載の帳票の印字装置。
【発明の詳細な説明】
【技術分野】
【０００１】
本発明は、帳票の印字方法および帳票の印字装置に関する。
【背景技術】
【０００２】
近年、複数の単位帳票を連続させ、単位帳票毎に所定の印刷（印字欄やその他の情報）が施されてなる連続帳票に対して、所定の印字を施す工程が自動化されている。
【０００３】
このような連続帳票の印字では、従来、あらかじめ単位帳票毎に印刷された印字欄に、印字が施される。そして、連続帳票の印字では、連続帳票に印刷が施された時の寸法（印字欄の配置）を基準として、単位帳票毎に印字が施される。
【０００４】
ところで、連続帳票は、印刷が施されると、一旦、ロール状に巻回された巻取り体とされて保管され、必要に応じて、印字工程に供されている。また、紙は周囲の環境の影響を受け易く、特に、湿度によって伸びが変化する。
【０００５】
また、従来、連続帳票の印字では、印刷を施した時の寸法が変化しないものとして、その時の寸法を基準として、印字の配置を決定し、印字が施されている。したがって、印刷を施してから時間が経過した後、また、印刷を施した時とは湿度の異なる環境において、印刷を施した時の寸法を基準として、連続帳票に印字を施すと、所定の印字欄内に印字が施されずに、はみ出してしまうという不具合が生じることがあった。
【０００６】
そこで、従来、印字の結果を確認しながら、所定の位置（印字欄内）に印字が施されるように、微調整を繰り返していた。そのため、作業が煩雑であるともに、連続帳票の印字を終えるのに、非常に多くの時間を要するため、コストが増加するという問題があった。さらに、それぞれの連続帳票毎に、上記のような微調整が必要となるので、コストが増加するという問題があった。
【発明の開示】
【発明が解決しようとする課題】
【０００７】
本発明は、前記事情に鑑みてなされたもので、連続帳票の伸びの変化に応じて、所定の位置に所定の印字を施すことができる帳票の印字方法および帳票の印字装置を提供することを目的とする。
【課題を解決するための手段】
【０００８】
本発明は、単位帳票が複数連続され、該単位帳票毎に所定の印刷が施されてなる連続帳票の長手方向における伸び率を算出する工程Ａと、前記連続帳票を搬送しながら、前記単位帳票の基端に設けられた管理情報を読み取る工程Ｂと、該工程Ｂにより読み取られた管理情報の位置を基準とし、かつ、前記伸び率に基づいて前記単位帳票毎に印字を施す位置を判断する工程Ｃと、該工程Ｃにおける結果に基づいて前記単位帳票毎に所定の印字を施す工程Ｄと、を少なくとも備えた帳票の印字方法を提供する。
【０００９】
かかる構成によれば、連続帳票の印字を全て自動化することができる。したがって、連続帳票の印字時間および印字工程を短縮することができるとともに、印字コストを削減することができる。
【００１０】
本発明は、単位帳票が複数連続され、該単位帳票毎に所定の印刷が施されてなる連続帳票を搬送する搬送手段と、前記単位帳票毎に施された印刷に関する情報に基づいて算出した前記連続帳票の長手方向における伸び率を入力する入力手段と、前記単位帳票の基端に設けられた管理情報を読み取る読取手段と、該読取手段により読み取られた管理情報の位置を基準とし、前記伸び率に基づいて前記単位帳票毎に印字を施す位置を判断する判断手段と、該判断手段による結果に基づいて前記単位帳票毎に所定の印字を施す印字手段と、を少なくとも備えた帳票の印字装置を提供する。
【００１１】
かかる構成によれば、連続帳票の印字を全て自動化することができる。したがって、連続帳票の印字時間および印字工程を短縮することができるとともに、印字コストを削減することができる。
【００１２】
上記の構成の帳票の印字装置において、前記入力手段は、パーソナルコンピュータまたは画像認識装置であることが好ましい。
【００１３】
かかる構成によれば、連続帳票の長手方向における伸び率を入力する工程を簡略化することができる。
【発明の効果】
【００１４】
本発明によれば、印字の結果を確認しながら、所定の位置に印字が施されるように、微調整を繰り返すといった煩雑な作業が不要となる。したがって、連続帳票の印字時間および印字工程を短縮することができるとともに、印字コストを削減することができる。
【発明を実施するための最良の形態】
【００１５】
以下、本発明を実施した帳票の印字方法について詳細に説明する。
【００１６】
図１は、本発明に係る帳票の印字方法の一実施形態を説明する模式図である。
図１中、符号１０は連続帳票、１１は単位帳票、１２は管理情報、１３は第一の印字欄、１４は第二の印字欄、１５は切断線をそれぞれ示している。
【００１７】
この実施形態の帳票の印字方法で用いられる連続帳票１０は、単位帳票１１が切断線１５を境にして複数連続されてなり、各単位帳票１１に、枠線などの第一の印字欄１３および第二の印字欄１４が設けられた紙材である。また、各単位帳票１１の基端、すなわち、各単位帳票１１の切断線１５に沿う一方の端部には、各単位帳票１１の基端を示すタイミングマークなどの管理情報１２が設けられている。
【００１８】
また、本発明の帳票の印字方法では、連続帳票１０を搬送する搬送手段と、各単位帳票１１に施された印刷に関する情報に基づいて算出した連続帳票１０の長手方向における伸び率を入力する入力手段と、各単位帳票１１の基端に設けられた管理情報１２を読み取る読取手段と、読取手段により読み取られた管理情報１２の位置を基準とし、連続帳票１０の伸び率に基づいて、各単位帳票１１に印字を施す位置を判断する判断手段と、判断手段による結果に基づいて各単位帳票１１に所定の印字を施す印字手段とから概略構成されている帳票の印字装置が用いられる。
【００１９】
この実施形態の帳票の印字方法では、まず、印字に供される連続帳票１０に関して、単位帳票１１の長手方向の長さα（図１中、切断線１５Ａから切断線１５Ｂまでの長さ）を測定する。
【００２０】
次いで、連続帳票１０に第一の印字欄１３および第二の印字欄１４を設ける際に、パーソナルコンピュータなどの入力手段のレイアウトソフトによって設定しておいた、単位帳票１１の長手方向の長さβを基準として、下記の式（１）によって、連続帳票１０の長手方向における伸び率（％）を算出する（工程Ａ）。
【００２１】
連続帳票の伸び率（％）＝［（印字に供される単位帳票の長さα）−（印刷時の単位帳票の長さβ）］／（印刷時の単位帳票の長さβ）×１００          （１）
【００２２】
次いで、搬送手段により連続帳票１０を搬送しながら、単位帳票１１の基端に設けられた管理情報１２を、画像認識装置などの読取手段で読み取る（工程Ｂ）。
【００２３】
次いで、パーソナルコンピュータなどの判断手段により、工程Ｂにより読み取られた管理情報１２の位置を基準とし、かつ、入力手段により入力された連続帳票１０の長手方向における伸び率（％）に基づいて、各単位帳票１１に印字を施す位置を判断する（工程Ｃ）。
【００２４】
すなわち、この工程Ｃでは、判断手段により、まず、上記の式（１）により、あらかじめ算出しておいた連続帳票１０の長手方向における伸び率（％）を、第一の印字欄１３および第二の印字欄１４を設ける際にパーソナルコンピュータなどの入力手段のレイアウトソフトによって設定しておいた、各印字欄の配置を示す寸法に乗じて、各印字欄が単位帳票１１の長手方向、および、短手方向（単位帳票１１の長手方向と垂直な方向）に移動した距離を算出する。そして、管理情報１２を基準として、第一の印字欄１３および第二の印字欄１４の配置を算出し、その算出結果に基づいて、単位帳票１１への印字位置を決定する。
【００２５】
なお、連続帳票１０の長手方向における伸び率（％）を入力する入力手段としては、パーソナルコンピュータまたは画像認識装置が用いられる。パーソナルコンピュータを用いる場合には、そのディスプレイ画面上のＧＵＩ（グラフィック・ユーザー・インターフェース）から、あらかじめ測定された単位帳票１１の長手方向の長さαと、連続帳票１０に第一の印字欄１３および第二の印字欄１４を設ける際に、パーソナルコンピュータなどの入力手段のレイアウトソフトによって設定しておいた、単位帳票１１の長手方向の長さβとを入力する。一方、画像認識装置を用いる場合には、この画像認識装置により単位帳票１１の印字面を走査して、単位帳票１１の長手方向の長さαを測定し、上記の長さβをパーソナルコンピュータより入力する。
【００２６】
次いで、工程Ｃにおける結果（印字位置の決定）に基づいて、各種プリンタなどの印字手段により、各単位帳票１０の第一の印字欄１３および第二の印字欄１４のそれぞれに、所定の印字を施す（工程Ｃ）。
【００２７】
上記の工程Ａ〜工程Ｄを連続的に繰り返すことにより、連続帳票１０を構成する全ての単位帳票１１への印字が終了する。なお、読取手段により、各単位帳票１１に設けられた管理情報１２を読み取る度に、工程Ａ〜工程Ｄが繰り返される。
【００２８】
なお、この実施形態では、あらかじめ別工程にて、連続帳票１０の長手方向における伸び率（％）を算出しておく印字方法を例示したが、本発明の帳票の印字方法はこれに限定されない。本発明の帳票の印字方法にあっては、搬送中の連続帳票１０において、まず、単位帳票１１の長手方向の長さα´を測定し、引き続き、この長さα´を用いて、連続帳票１０に第一の印字欄１３および第二の印字欄１４を設ける際に設定しておいた、単位帳票１１の長手方向の長さβを基準として、上記の式（１）によって、連続帳票１０の長手方向における伸び率（％）を算出してもよい。
【００２９】
また、この実施形態では、連続帳票１０としては、単位帳票１１が切断線１５を境にして複数連続されてなるものを例示したが、本発明の帳票の印字方法はこれに限定されない。本発明の帳票の印字方法にあっては、連続帳票１０の両側には、その長手方向に沿い、切断線を境にして連接するマージナル部が設けられていてもよい。このマージナル部は、連続帳票１０を搬送するために用いられる。また、上記の管理情報を、このマージナル部に設けてもよい。
【図面の簡単な説明】
【００３０】
【図１】本発明に係る帳票の印字方法を説明する模式図である。
【符号の説明】
【００３１】
１０・・・連続帳票、１１・・・単位帳票、１２・・・管理情報、１３・・・第一の印字欄、１４・・・第二の印字欄、１５・・・切断線。
【図１】
2006082508.tif 000003